(57)【要約】コンピュータ１００（個人認証装置の一例）は、赤外線を発光する赤外線発光部３３０と、赤外線画像を撮像する赤外線カメラ３２０と、コンピュータ１００またはその周辺の状況に関連する信号を出力する状況信号出力部と、制御部２１０と、を備える。制御部２１０は、状況信号出力部から出力される信号に基づいて、コンピュータ１００またはその周辺の状況に所定の変化があったか否かを判断し、所定の変化があった場合に、赤外線発光部３３０及び赤外線カメラ３２０を駆動させるとともに、赤外線カメラ３２０で撮像された赤外線画像に基づいて３次元顔認証処理を行う。
2019026925.tif 000002
【特許請求の範囲】
【請求項１】
赤外線を発光する赤外線発光部と、
赤外線画像を撮像する赤外線カメラと、
自装置またはその周辺の状況に関連する信号を出力する状況信号出力部と、
制御部と、を備え、
前記制御部は、前記状況信号出力部から出力される信号に基づいて、自装置またはその周辺の状況に所定の変化があったか否かを判断し、前記所定の変化があった場合に、前記赤外線発光部及び前記赤外線カメラを駆動させるとともに、前記赤外線カメラで撮像された赤外線画像に基づいて３次元顔認証処理を行う、
個人認証装置。
【請求項２】
前記制御部は、前記赤外線発光部及び前記赤外線カメラを駆動してから所定時間経過しても３次元顔認証が成功しない場合、前記赤外線発光部及び前記赤外線カメラの駆動を停止する、
請求項１に記載の個人認証装置。
【請求項３】
前記制御部は、自装置の所定部位の温度が所定温度以上となった場合、前記赤外線発光部及び前記赤外線カメラの駆動を停止する、
請求項２に記載の個人認証装置。
【請求項４】
前記状況信号出力部は、可視光画像を周期的に撮像する可視光カメラであり、
前記所定の変化は、前記可視光カメラで撮像された可視光画像の内容が先に撮像された可視光画像の内容に対して所定程度変化したことである、
請求項１に記載の個人認証装置。
【請求項５】
前記状況信号出力部は、可視光画像を撮像する可視光カメラであり、
前記制御部は、前記可視光カメラで撮像された可視光画像に対して顔検出処理を行い、
前記所定の変化は、前記顔検出処理で顔が検出されたことである、
請求項１に記載の個人認証装置。
【請求項６】
前記状況信号出力部は、物体が所定範囲内に接近したことを検出する近接センサであり、
前記所定の変化は、前記近接センサで物体が所定範囲内に接近したことが検出されたことである、
請求項１に記載の個人認証装置。
【請求項７】
前記状況信号出力部は、利用者の入力操作を受け付ける入力デバイスであり、
前記所定の変化は、前記入力デバイスで入力操作があったことである、
請求項１に記載の個人認証装置。
【発明の詳細な説明】
【技術分野】
【０００１】
本開示は、赤外線を用いて３次元顔認証を行う個人認証装置に関する。
【背景技術】
【０００２】
特許文献１は、赤外線発光部から利用者の手に赤外線を照射して静脈パターンを撮影し、撮影した静脈パターンに基づいて認証を行う装置を開示している。
【先行技術文献】
【特許文献】
【０００３】
【特許文献１】特開２００７−３００４５１号公報
【発明の概要】
【発明が解決しようとする課題】
【０００４】
近年、コンピュータ等の電子機器において、赤外線発光部から利用者の顔に赤外線を照射して赤外線カメラで利用者の顔を撮像し、撮像した画像に基づいて３次元顔認証を行う技術が利用され始めている。３次元顔認証の精度を高めるには赤外線発光部から比較的強い赤外線を発光する必要があり、電力消費が大きくなる。【０００５】
本開示は、赤外線を用いた３次元顔認証の電力消費を低減した個人認証装置を提供する。
【課題を解決するための手段】
【０００６】
本開示の個人認証装置は、
赤外線を発光する赤外線発光部と、
赤外線画像を撮像する赤外線カメラと、
自装置またはその周辺の状況に関連する信号を出力する状況信号出力部と、
制御部と、を備える。
制御部は、状況信号出力部から出力される信号に基づいて、自装置またはその周辺の状況に所定の変化があったか否かを判断し、所定の変化があった場合に、赤外線発光部及び赤外線カメラを駆動させるとともに、赤外線カメラで撮像された赤外線画像に基づいて３次元顔認証処理を行う。
【発明の効果】
【０００７】
本開示によると、状況信号出力部から出力される信号に基づいて、自装置またはその周辺の状況に所定の変化があったと判断された場合に、赤外線発光部及び赤外線カメラが駆動され、３次元顔認証処理が行われる。そのため、赤外線発光部及び赤外線カメラの駆動時間を減少させて、赤外線を用いた３次元顔認証処理の電力消費を低減できる。
【図面の簡単な説明】
【０００８】
【図１】実施の形態１におけるコンピュータの斜視図である。
【図２】コンピュータの電気的構成を示すブロック図である。
【図３】３次元顔認証処理のフローチャートの一例である。
【図４】実施の形態２におけるコンピュータの３次元顔認証処理のフローチャートの一例である。
【図５】実施の形態３におけるコンピュータの３次元顔認証処理のフローチャートの一例である。
【図６】実施の形態４におけるコンピュータの３次元顔認証処理のフローチャートの一例である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
以下、図面を参照して実施の形態１を説明する。
【００１２】
［１−１．構成］
図１は、実施の形態１におけるコンピュータの斜視図である。
コンピュータ１００は、第１の筐体１０１と、第２の筐体１０２とを備え、第１の筐体１０１と第２の筐体１０２とがヒンジ１０３を介して相対回転可能に構成されたノートブック型のコンピュータである。
【００１３】
第１の筐体１０１には、表示部２４０、タッチパネル２３４、ＲＧＢカメラ３１０、赤外線カメラ３２０、赤外線発光部３３０、近接センサ３４０等が備えられている。
【００１４】
第２の筐体１０２には、キーボード２３１、タッチパッド２３２、操作ボタン２３３、温度センサ３５０等が設けられている。
【００１５】
表示部２４０は、入力された画像信号に基づいて画像や映像を表示する。表示部２４０は、例えば液晶ディスプレイにより構成される。
【００１６】
タッチパネル２３４は、表示部２４０の表面に重ねて設けられている。タッチパネル２３４は、表示部２４０上のタッチされた位置を示す信号を出力するポインティングデバイスである。表示部２４０上のタッチされた位置を示す信号の出力機能は、表示部２４０に一体的に形成されてもよい。
【００１７】
ＲＧＢカメラ３１０は、光学レンズ、ＲＧＢ撮像センサ等を備え、光学レンズによりＲＧＢ撮像センサ上に結像された被写体の可視光画像を撮像し、撮像した可視光画像を示す画像信号を生成して出力する。ＲＧＢカメラ３１０は、所定のフレームレートで可視光画像を周期的に撮像できる。
【００１８】
赤外線発光部３３０は、赤外線（赤外光）を発光する。赤外線発光部３３０は、例えば、赤外線を発光する発光ダイオードにより構成される。
【００１９】
赤外線カメラ３２０は、光学レンズ、赤外線通過フィルタ、所定解像度を有するモノクロ撮像センサ等を備え、赤外線発光部３３０を発光させた状態のときに光学レンズによりモノクロ撮像センサ上に結像された被写体の赤外線画像を撮像し、撮像した赤外線画像を示す信号を生成して出力する。
【００２０】
近接センサ３４０は、物体が近接センサ３４０に対して所定距離内（所定範囲内）に接近したことを検出する。近接センサ３４０は、物体が所定範囲に接近したことを検出できるものであれば、誘導形、静電容量形、超音波形、光電形、磁気形などどのようなセンサでもよい。
【００２１】
キーボード２３１は、複数のキーを備え、ユーザにより押下されたキーに対応する信号を出力する。
【００２２】
タッチパッド２３２は、ユーザによりタッチされた位置に応じた信号を出力するポインティングデバイスである。
【００２３】
操作ボタン２３３は、押下式のボタンスイッチであり、ユーザにより押下されたときに押下されたことを示す信号を出力する。操作ボタン２３３は、例えば決定ボタンとして利用される。
【００２４】
キーボード２３１、タッチパッド２３２、操作ボタン２３３、タッチパネル２３４などの利用者の入力操作を受け付けるデバイスを、以下「入力デバイス２３０」と総称する。
【００２５】
図２は、コンピュータ１００の電気的構成を示すブロック図である。コンピュータ１００は、制御部２１０、記憶部２２０、バス２５０、バッテリ４１０、充電回路４２０等をさらに有する。
【００２６】
記憶部２２０は、ＯＳや種々のアプリケーションプログラム及びデータを格納している。
【００２７】
制御部２１０は、コンピュータ１００全体の動作を制御する。制御部２１０は、記憶部２２０に格納されているＯＳや種々のアプリケーションプログラム、記憶部２２０に記憶されているデータ、種々の入力デバイス２３０等から入力された情報に基づいて演算処理を行い、後述する種々の機能を実現する。制御部２１０は、例えばＣＰＵ、ＭＰＵ、ＦＰＧＡ等で構成される。
【００２８】
バス２５０には、上記の各要素が接続されている。バス２５０は、上記の各構成要素が相互に種々の信号を送受信するための信号路である。
【００２９】
バッテリ４１０は、コンピュータ１００の各構成要素に動作用の電力を供給する。
【００３０】
充電回路４２０は、バッテリ４１０を充電する。
【００３１】
［１−２．動作］
制御部２１０は、コンピュータ起動の際のログオン時や、ロック解除時に、認証処理を行う。認証処理では、赤外線発光部３３０及び赤外線カメラ３２０を駆動し、撮像された赤外線画像に基づいて３次元顔認証処理を行う。３次元顔認証処理とは、コンピュータ１００に予め登録されている個人の３次元顔データと、撮像された赤外線画像に顔が含まれる場合に、含まれている顔と登録されている３次元顔データが示す顔とが一致するか否かを判断する処理である。赤外線画像に基づく３次元顔認証の具体的な技術としては、Ｗｉｎｄｏｗｓ（登録商標）等のＯＳで行われる公知の技術を利用できる。
【００３２】
ここで、３次元顔認証の精度を高めるには赤外線発光部３３０から比較的強い赤外線を発光する必要があり、赤外線発光部３３０の消費電力が大きくなる。また、従来のコンピュータでの赤外線画像に基づく３次元顔認証では、ログオン用画面やロック解除用画面が表示されたときに、赤外線発光部及び赤外線カメラを利用した３次元顔認証が開始し、３次元顔認証が完了するまでの間、赤外線が発光され続ける。そのため、３次元顔認証が長時間成功せず、赤外線発光部及び赤外線カメラが駆動され続けたような場合に、バッテリの電力が大量に消費され、コンピュータの駆動時間が低下する要因となっていた。また、大きな電力消費に伴う発熱によりコンピュータの温度が上昇する要因となっていた。
【００３３】
この課題を解決するため、本実施の形態では、コンピュータ起動時のログオン用画面やロック解除用画面を表示させたときにおいて、コンピュータ１００またはその周辺の状況に関連する信号を出力する状況信号出力部から出力される信号に基づいて、コンピュータ１００またはその周辺の状況に所定の変化があったか否かを判断し、所定の変化があった場合に、赤外線発光部３３０及び赤外線カメラ３２０を駆動させるように構成している。本実施の形態では、状況信号出力部が、ＲＧＢカメラ３１０（可視光カメラ）であり、所定の変化が、ＲＧＢカメラ３１０で撮像された可視光画像の内容が先に撮像された可視光画像の内容に対して所定程度変化したことである例について、以下詳しく説明する。
【００３４】
図３は、３次元顔認証処理のフローチャートの一例である。制御部２１０は、ログオン用画面やロック解除用画面を表示部２４０に表示させたとき、ＲＧＢカメラ３１０を起動する（Ｓ１１）。このとき、ＲＧＢカメラ３１０は、所定フレームレートで周期的に画像を撮像して出力する。所定フレームレートは、例えば動画撮影と同様の３０ｆｐｓや６０ｆｐｓである。
【００３５】
制御部２１０は、ＲＧＢカメラ３１０から新たなフレームの画像を受信する都度、前フレームの画像に対して変化量の検出処理（画像変換量検出処理）を行う（Ｓ１２）。変化量としては、例えば、今回受信したフレームの画像と前フレームの画像とを比較することで求めた動きベクトルの大きさを用いることができる。
【００３６】
制御部２１０は、検出した変化量が所定量以上か否かを判断する（Ｓ１３）。所定量は、検出したい変化の程度に応じて適宜設定すればよい。
【００３７】
変化量が所定量以上でない場合（Ｓ１３でＮＯ）、制御部２１０は、ステップＳ１２の画像変換量検出処理を再度実行する。
【００３８】
変化量が所定量以上である場合（Ｓ１３でＹＥＳ）、制御部２１０は、赤外線カメラ３２０及び赤外線発光部３３０を起動する（Ｓ１４）。
【００３９】
制御部２１０は、現在時刻を開始時刻として保存する（Ｓ１５）。
【００４０】
制御部２１０は、３次元顔認証処理を実行する（Ｓ１６）。
【００４１】
制御部２１０は、３次元顔認証処理において認証が成功したか否かを判断する（Ｓ１７）。
【００４２】
認証が成功した場合（Ｓ１７でＹＥＳ）、制御部２１０は、コンピュータ１００をログオン状態またはロック解除状態に遷移させる。
【００４３】
認証が成功しない場合（Ｓ１７でＮＯ）、制御部２１０は、開始時刻から所定時間が経過したか否かを判断する（Ｓ１９）。所定時間は、例えば５秒であるが、これに限定されるものではない。
【００４４】
所定時間が経過していない場合（Ｓ１９でＮＯ）、制御部２１０は、ステップＳ１６の３次元顔認証処理を再度実行する。
【００４５】
所定時間が経過した場合（Ｓ１９でＹＥＳ）、制御部２１０は、赤外線カメラ３２０及び赤外線発光部３３０の駆動を停止した（Ｓ２０）後、ステップＳ１２の画像変換量検出処理を再度実行する。
【００４６】
本実施の形態によると、ＲＧＢカメラ３１０で撮像された画像の変化量が所定量以上である場合に、赤外線カメラ３２０及び赤外線発光部３３０を駆動して３次元顔認証処理が行われる。そのため、赤外線カメラ３２０及び赤外線発光部３３０の駆動時間を減少させて、赤外線を用いた３次元顔認証処理の電力消費を低減できる。
【００４７】
（実施の形態２）
実施の形態２について説明する。本実施の形態では、状況信号出力部が、可視光画像を撮像するＲＧＢカメラ３１０（可視光カメラ）であり、制御部２１０は、ＲＧＢカメラ３１０で撮像された可視光画像に対して顔検出処理を行い、所定の変化は、顔検出処理で顔が検出されたことである例について説明する。
【００４８】
図４は、実施の形態２におけるコンピュータ１００の３次元顔認証処理のフローチャートの一例である。本実施の形態では、実施の形態１のステップＳ１２，Ｓ１３に代えて、ステップＳ２２，Ｓ２３が設けられている。以下、実施の形態１との相違点を中心に説明する。
【００４９】
制御部２１０は、ＲＧＢカメラ３１０から新たなフレームの画像を受信する都度、受信した画像に対して顔の検出処理（顔検出処理）を行う（Ｓ２２）。
【００５０】
制御部２１０は、受信したフレームの画像中に顔検出処理で顔が検出されたか否かを判断する（Ｓ２３）。
【００５１】
顔が検出されなかった場合（Ｓ２３でＮＯ）、制御部２１０は、ステップＳ２２の顔検出処理を再度実行する。
【００５２】
顔が検出された場合（Ｓ２３でＹＥＳ）、制御部２１０は、赤外線カメラ３２０及び赤外線発光部３３０を起動する（Ｓ１４）。以後、実施の形態１と同様の処理が行われる。なお、ステップＳ２０で赤外線カメラ３２０の駆動を停止した場合、制御部２１０は、ステップＳ２２の顔検出処理を再度実行する。
【００５３】
本実施の形態によると、ＲＧＢカメラ３１０で撮像された画像中に顔が検出された場合に、赤外線カメラ３２０及び赤外線発光部３３０を駆動して３次元顔認証処理が行われる。そのため、赤外線カメラ３２０及び赤外線発光部３３０の駆動時間をより一層減少させて、赤外線を用いた３次元顔認証処理の電力消費をより一層低減できる。
【００５４】
なお、顔検出処理に代えてＲＧＢカメラ３１０で撮像された画像に基づく２次元顔認証処理を行ってもよい。なお、ここにおける２次元顔認証処理は、本来の利用者に対して拒否が発生するほどの厳密なものである必要はなく、３次元顔認証を行う対象を絞り込む程度のものでよい。
【００５５】
（実施の形態３）
実施の形態３について説明する。本実施の形態では、状況信号出力部が、物体が所定範囲内に接近したことを検出する近接センサ３４０であり、所定の変化が、近接センサ３４０で物体が所定範囲内に接近したことが検出されたことである例について説明する。
【００５６】
図５は、実施の形態３におけるコンピュータ１００の３次元顔認証処理のフローチャートの一例である。本実施の形態では、実施の形態１のステップＳ１１，Ｓ１２，Ｓ１３に代えて、ステップＳ３１，Ｓ３３が設けられている。以下、実施の形態１との相違点を中心に説明する。
【００５７】
制御部２１０は、コンピュータ１００の起動時、あるいは所定の無操作時間の経過により、コンピュータ１００のロック画面を表示させた際、近接センサ３４０を起動する（Ｓ３１）。
【００５８】
制御部２１０は、近接センサ３４０から出力される信号に基づいて、近接センサ３４０に対して所定範囲内に物体が接近したか否かを判断する（Ｓ３３）。これは、コンピュータ１００に対して物体が接近したか否かを判断することでもある。
【００５９】
所定範囲内に物体が接近していない場合（Ｓ３３でＮＯ）、制御部２１０は、本ステップＳ３３の判断を再度実行する。
【００６０】
所定範囲内に物体が接近した場合（Ｓ３３でＹＥＳ）、制御部２１０は、赤外線カメラ３２０及び赤外線発光部３３０を起動する（Ｓ１４）。以後は、実施の形態１と同様の処理が行われる。なお、ステップＳ２０で赤外線カメラ３２０の駆動を停止した場合、制御部２１０は、ステップＳ３３の処理を再度実行する。
【００６１】
本実施の形態によると、近接センサ３４０で物体が所定範囲内に接近したことが検出された場合に、赤外線カメラ３２０及び赤外線発光部３３０を駆動して３次元顔認証処理が行われる。そのため、赤外線カメラ３２０及び赤外線発光部３３０の駆動時間を減少させて、赤外線を用いた３次元顔認証処理の電力消費を低減できる。
【００６２】
（実施の形態４）
実施の形態４について説明する。本実施の形態では、状況信号出力部が、利用者の入力操作を受け付ける入力デバイス２３０であり、所定の変化が、入力デバイス２３０で入力操作があったことである例について説明する。
【００６３】
図６は、実施の形態４におけるコンピュータ１００の３次元顔認証処理のフローチャートの一例である。本実施の形態では、実施の形態１のステップＳ１１，Ｓ１２，Ｓ１３に代えて、ステップＳ４１が設けられている。以下、実施の形態１との相違点を中心に説明する。
【００６４】
制御部２１０は、ログオン用画面やロック解除用画面を表示部２４０に表示させたとき、何れかの入力デバイス２３０に操作があったか否かを判断する（Ｓ４１）。制御部２１０は、何れかの入力デバイス２３０から操作に関する信号を受信した場合、何れかの入力デバイス２３０に対して入力操作があったと判断する。
【００６５】
何れの入力デバイス２３０に対しても入力操作がない場合（Ｓ４１でＮＯ）、制御部２１０は、本ステップＳ４１の判断を再度実行する。
【００６６】
何れかの入力デバイス２３０に対して入力操作があった場合（Ｓ４１でＹＥＳ）、制御部２１０は、赤外線カメラ３２０及び赤外線発光部３３０を起動する（Ｓ１４）。以後は、実施の形態１と同様の処理が行われる。なお、ステップＳ２０で赤外線カメラ３２０の駆動を停止した場合、制御部２１０は、ステップＳ４１の処理を再度実行する。
【００６７】
本実施の形態によると、何れかの入力デバイス２３０に対して操作があった場合に、赤外線カメラ３２０及び赤外線発光部３３０を駆動して３次元顔認証処理が行われる。つまり、コンピュータ１００に対する操作意思が存在する場合に、赤外線カメラ３２０による３次元顔認証処理が行われる。そのため、赤外線カメラ３２０及び赤外線発光部３３０の駆動時間を減少させて、赤外線を用いた３次元顔認証処理の電力消費を低減できる。
【００６８】
（実施の形態５）
実施の形態１〜４では、制御部２１０は、ステップＳ１９で開始時刻から所定時間が経過したか否かを判断する。しかし、ステップＳ１９の上記判断に代えて、コンピュータ１００の所定部位の温度が所定温度を超えたか否かを判断するようにしてもよい。この場合、制御部２１０は、所定部位に配置された温度センサ３５０から温度を示す信号を入力する。所定温度は、例えば、利用者に低温火傷を生じさせない範囲で最も高い温度である。これにより、電力消費とともに低温火傷の発生を抑制できる。所定部位は、例えば、制御部２１０が配置されている部位である。なお、所定部位は、例えば、赤外線発光部３３０、入力デバイス２３０、バッテリ４１０、充電回路４２０等が配置されている部位であってもよい。なお、開始時刻から所定時間が経過したことと、コンピュータ１００の所定部位の温度が所定温度を超えたこととの少なくとも一方が成立したか否かを判断するようにしてもよい。
【００６９】
（効果等）
（１）本実施の形態のコンピュータ１００（個人認証装置の一例）は、
赤外線を発光する赤外線発光部３３０と、
赤外線画像を撮像する赤外線カメラ３２０と、
コンピュータ１００（自装置）またはその周辺の状況に関連する信号を出力する状況信号出力部と、
制御部２１０と、を備える。
制御部２１０は、状況信号出力部から出力される信号に基づいて、コンピュータ１００またはその周辺の状況に所定の変化があったか否かを判断し、所定の変化があった場合に、赤外線発光部３３０及び赤外線カメラ３２０を駆動させるとともに、赤外線カメラ３２０で撮像された赤外線画像に基づいて３次元顔認証処理を行う。
【００７０】
これにより、状況信号出力部から出力される信号に基づいて、コンピュータ１００またはその周辺の状況に所定の変化があったと判断された場合に、赤外線発光部３３０及び赤外線カメラ３２０が駆動され、３次元顔認証処理が行われる。そのため、赤外線カメラ３２０及び赤外線発光部３３０の駆動時間を減少させて、赤外線を用いた３次元顔認証処理の電力消費を低減できる。
【００７１】
（２）本実施の形態において、
制御部２１０は、赤外線発光部３３０及び赤外線カメラ３２０を駆動してから所定時間駆動しても３次元顔認証が成功しない場合、赤外線発光部３３０及び赤外線カメラ３２０の駆動を停止する。
【００７２】
赤外線発光部３３０及び赤外線カメラ３２０を駆動してから所定時間駆動しても３次元顔認証が成功しない場合には、赤外線カメラ３２０の前から利用者がいなくなったことが考えられる。そのため、赤外線発光部３３０及び赤外線カメラ３２０の駆動を停止させることで、無駄な電力消費を抑制するものである。
【００７３】
（３）本実施の形態において、
制御部２１０は、コンピュータ１００の所定部位の温度が所定温度以上となった場合、赤外線発光部３３０及び赤外線カメラ３２０の駆動を停止する。
【００７４】
これにより、電力消費の減少とともに低温火傷の発生を抑制できる。
【００７５】
（４）本実施の形態において、
状況信号出力部は、可視光画像を周期的に撮像するＲＧＢカメラ３１０（可視光カメラ）である。
所定の変化は、ＲＧＢカメラ３１０で撮像された可視光画像の内容が先に撮像された可視光画像の内容に対して所定程度変化したことである。
【００７６】
これにより、ＲＧＢカメラ３１０で撮像された可視光画像の内容が先に撮像された可視光画像の内容に対して所定程度変化した場合に、赤外線カメラ３２０及び赤外線発光部３３０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００７７】
（５）本実施の形態において、
状況信号出力部は、可視光画像を撮像するＲＧＢカメラ３１０（可視光カメラ）である。
制御部２１０は、ＲＧＢカメラ３１０で撮像された可視光画像に対して顔検出処理を行う。
所定の変化は、顔検出処理で顔が検出されたことである。
【００７８】
これにより、ＲＧＢカメラ３１０で撮像された可視光画像中に顔が検出された場合に、赤外線カメラ３２０及び赤外線発光部３３０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００７９】
（６）本実施の形態において、
状況信号出力部は、物体が所定範囲内に接近したことを検出する近接センサ３４０である。
所定の変化は、近接センサ３４０で物体が所定範囲内に接近したことが検出されたことである。
【００８０】
これにより、近接センサ３４０で物体が所定範囲内に接近したことが検出された場合に、赤外線発光部３３０及び赤外線カメラ３２０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００８１】
（７）本実施の形態において、
状況信号出力部は、利用者の入力操作を受け付ける入力デバイス２３０である。
所定の変化は、入力デバイス２３０で入力操作があったことである。
【００８２】
これにより、何れかの入力デバイス２３０に対して操作があった場合に、赤外線発光部３３０及び赤外線カメラ３２０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００８３】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００８４】
（１）前記実施の形態では、本開示における個人認証装置をノートブック型のコンピュータに適用した場合について説明した。しかし、本開示は、ノートブック型のコンピュータ以外にも、スマートフォン、タブレット型コンピュータ、携帯型ゲーム機器、デジタルアメラ、ＡＴＭ装置等、赤外線カメラによる３次元顔認証を実行する機能を有する装置に広く利用可能である。
【００８５】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００８６】
本開示は、赤外線カメラによる３次元顔認証を行う電子機器において広く利用可能である。
【符号の説明】
【００８７】
１００  コンピュータ
１０１  第１の筐体
１０２  第２の筐体
１０３  ヒンジ
２１０  制御部
２２０  記憶部
２３０  入力デバイス
２３１  キーボード
２３２  タッチパッド
２３３  操作ボタン
２３４  タッチパネル
２４０  表示部
２５０  バス
３１０  ＲＧＢカメラ
３２０  赤外線カメラ
３３０  赤外線発光部
３４０  近接センサ
３５０  温度センサ
【図１】
2019026925.tif 000003
【図２】
2019026925.tif 000004
【図３】
2019026925.tif 000005
【図４】
2019026925.tif 000006
【図５】
2019026925.tif 000007
【図６】
2019026925.tif 000008
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
赤外線を発光する赤外線発光部と、
赤外線画像を撮像する赤外線カメラと、
自装置またはその周辺の状況に関連する信号を出力する状況信号出力部と、
制御部と、を備え、
前記制御部は、前記状況信号出力部から出力される信号に基づいて、自装置またはその周辺の状況に所定の変化があったか否かを判断し、前記所定の変化があった場合に、前記赤外線発光部及び前記赤外線カメラを駆動させるとともに、前記赤外線カメラで撮像された赤外線画像に基づいて３次元顔認証処理を行う、
個人認証装置。
【請求項２】
前記制御部は、前記赤外線発光部及び前記赤外線カメラを駆動してから所定時間経過しても３次元顔認証が成功しない場合、前記赤外線発光部及び前記赤外線カメラの駆動を停止する、
請求項１に記載の個人認証装置。
【請求項３】
前記制御部は、自装置の所定部位の温度が所定温度以上となった場合、前記赤外線発光部及び前記赤外線カメラの駆動を停止する、
請求項２に記載の個人認証装置。
【請求項４】
前記状況信号出力部は、可視光画像を周期的に撮像する可視光カメラであり、
前記所定の変化は、前記可視光カメラで撮像された可視光画像の内容が先に撮像された可視光画像の内容に対して所定程度変化したことである、
請求項１に記載の個人認証装置。
【請求項５】
前記状況信号出力部は、可視光画像を撮像する可視光カメラであり、
前記制御部は、前記可視光カメラで撮像された可視光画像に対して顔検出処理を行い、
前記所定の変化は、前記顔検出処理で顔が検出されたことである、
請求項１に記載の個人認証装置。
【請求項６】
前記状況信号出力部は、物体が所定範囲内に接近したことを検出する近接センサであり、
前記所定の変化は、前記近接センサで物体が所定範囲内に接近したことが検出されたことである、
請求項１に記載の個人認証装置。
【請求項７】
前記状況信号出力部は、利用者の入力操作を受け付ける入力デバイスであり、
前記所定の変化は、前記入力デバイスで入力操作があったことである、
請求項１に記載の個人認証装置。
【手続補正２】
【補正対象書類名】明細書
【補正対象項目名】全文
【補正方法】変更
【補正の内容】
【発明の詳細な説明】
【技術分野】
【０００１】
本開示は、赤外線を用いて３次元顔認証を行う個人認証装置に関する。
【背景技術】
【０００２】
特許文献１は、赤外線発光部から利用者の手に赤外線を照射して静脈パターンを撮影し、撮影した静脈パターンに基づいて認証を行う装置を開示している。
【先行技術文献】
【特許文献】
【０００３】
【特許文献１】特開２００７−３００４５１号公報
【発明の概要】
【発明が解決しようとする課題】
【０００４】
近年、コンピュータ等の電子機器において、赤外線発光部から利用者の顔に赤外線を照射して赤外線カメラで利用者の顔を撮像し、撮像した画像に基づいて３次元顔認証を行う技術が利用され始めている。３次元顔認証の精度を高めるには赤外線発光部から比較的強い赤外線を発光する必要があり、電力消費が大きくなる。
【０００５】
本開示は、赤外線を用いた３次元顔認証の電力消費を低減した個人認証装置を提供する。
【課題を解決するための手段】
【０００６】
本開示の個人認証装置は、
赤外線を発光する赤外線発光部と、
赤外線画像を撮像する赤外線カメラと、
自装置またはその周辺の状況に関連する信号を出力する状況信号出力部と、
制御部と、を備える。
制御部は、状況信号出力部から出力される信号に基づいて、自装置またはその周辺の状況に所定の変化があったか否かを判断し、所定の変化があった場合に、赤外線発光部及び赤外線カメラを駆動させるとともに、赤外線カメラで撮像された赤外線画像に基づいて３次元顔認証処理を行う。
【発明の効果】
【０００７】
本開示によると、状況信号出力部から出力される信号に基づいて、自装置またはその周辺の状況に所定の変化があったと判断された場合に、赤外線発光部及び赤外線カメラが駆動され、３次元顔認証処理が行われる。そのため、赤外線発光部及び赤外線カメラの駆動時間を減少させて、赤外線を用いた３次元顔認証処理の電力消費を低減できる。
【図面の簡単な説明】
【０００８】
【図１】実施の形態１におけるコンピュータの斜視図である。
【図２】コンピュータの電気的構成を示すブロック図である。
【図３】３次元顔認証処理のフローチャートの一例である。
【図４】実施の形態２におけるコンピュータの３次元顔認証処理のフローチャートの一例である。
【図５】実施の形態３におけるコンピュータの３次元顔認証処理のフローチャートの一例である。
【図６】実施の形態４におけるコンピュータの３次元顔認証処理のフローチャートの一例である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
以下、図面を参照して実施の形態１を説明する。
【００１２】
［１−１．構成］
図１は、実施の形態１におけるコンピュータの斜視図である。
コンピュータ１００は、第１の筐体１０１と、第２の筐体１０２とを備え、第１の筐体１０１と第２の筐体１０２とがヒンジ１０３を介して相対回転可能に構成されたノートブック型のコンピュータである。
【００１３】
第１の筐体１０１には、表示部２４０、タッチパネル２３４、ＲＧＢカメラ３１０、赤外線カメラ３２０、赤外線発光部３３０、近接センサ３４０等が備えられている。
【００１４】
第２の筐体１０２には、キーボード２３１、タッチパッド２３２、操作ボタン２３３、温度センサ３５０等が設けられている。
【００１５】
表示部２４０は、入力された画像信号に基づいて画像や映像を表示する。表示部２４０は、例えば液晶ディスプレイにより構成される。
【００１６】
タッチパネル２３４は、表示部２４０の表面に重ねて設けられている。タッチパネル２３４は、表示部２４０上のタッチされた位置を示す信号を出力するポインティングデバイスである。表示部２４０上のタッチされた位置を示す信号の出力機能は、表示部２４０に一体的に形成されてもよい。
【００１７】
ＲＧＢカメラ３１０は、光学レンズ、ＲＧＢ撮像センサ等を備え、光学レンズによりＲＧＢ撮像センサ上に結像された被写体の可視光画像を撮像し、撮像した可視光画像を示す画像信号を生成して出力する。ＲＧＢカメラ３１０は、所定のフレームレートで可視光画像を周期的に撮像できる。
【００１８】
赤外線発光部３３０は、赤外線（赤外光）を発光する。赤外線発光部３３０は、例えば、赤外線を発光する発光ダイオードにより構成される。
【００１９】
赤外線カメラ３２０は、光学レンズ、赤外線通過フィルタ、所定解像度を有するモノクロ撮像センサ等を備え、赤外線発光部３３０を発光させた状態のときに光学レンズによりモノクロ撮像センサ上に結像された被写体の赤外線画像を撮像し、撮像した赤外線画像を示す信号を生成して出力する。
【００２０】
近接センサ３４０は、物体が近接センサ３４０に対して所定距離内（所定範囲内）に接近したことを検出する。近接センサ３４０は、物体が所定範囲に接近したことを検出できるものであれば、誘導形、静電容量形、超音波形、光電形、磁気形などどのようなセンサでもよい。
【００２１】
キーボード２３１は、複数のキーを備え、ユーザにより押下されたキーに対応する信号を出力する。
【００２２】
タッチパッド２３２は、ユーザによりタッチされた位置に応じた信号を出力するポインティングデバイスである。
【００２３】
操作ボタン２３３は、押下式のボタンスイッチであり、ユーザにより押下されたときに押下されたことを示す信号を出力する。操作ボタン２３３は、例えば決定ボタンとして利用される。
【００２４】
キーボード２３１、タッチパッド２３２、操作ボタン２３３、タッチパネル２３４などの利用者の入力操作を受け付けるデバイスを、以下「入力デバイス２３０」と総称する。
【００２５】
図２は、コンピュータ１００の電気的構成を示すブロック図である。コンピュータ１００は、制御部２１０、記憶部２２０、バス２５０、バッテリ４１０、充電回路４２０等をさらに有する。
【００２６】
記憶部２２０は、ＯＳや種々のアプリケーションプログラム及びデータを格納している。
【００２７】
制御部２１０は、コンピュータ１００全体の動作を制御する。制御部２１０は、記憶部２２０に格納されているＯＳや種々のアプリケーションプログラム、記憶部２２０に記憶されているデータ、種々の入力デバイス２３０等から入力された情報に基づいて演算処理を行い、後述する種々の機能を実現する。制御部２１０は、例えばＣＰＵ、ＭＰＵ、ＦＰＧＡ等で構成される。
【００２８】
バス２５０には、上記の各要素が接続されている。バス２５０は、上記の各構成要素が相互に種々の信号を送受信するための信号路である。
【００２９】
バッテリ４１０は、コンピュータ１００の各構成要素に動作用の電力を供給する。
【００３０】
充電回路４２０は、バッテリ４１０を充電する。
【００３１】
［１−２．動作］
制御部２１０は、コンピュータ起動の際のログオン時や、ロック解除時に、認証処理を行う。認証処理では、赤外線発光部３３０及び赤外線カメラ３２０を駆動し、撮像された赤外線画像に基づいて３次元顔認証処理を行う。３次元顔認証処理とは、コンピュータ１００に予め登録されている個人の３次元顔データと、撮像された赤外線画像に顔が含まれる場合に、含まれている顔と登録されている３次元顔データが示す顔とが一致するか否かを判断する処理である。赤外線画像に基づく３次元顔認証の具体的な技術としては、Ｗｉｎｄｏｗｓ（登録商標）等のＯＳで行われる公知の技術を利用できる。
【００３２】
ここで、３次元顔認証の精度を高めるには赤外線発光部３３０から比較的強い赤外線を発光する必要があり、赤外線発光部３３０の消費電力が大きくなる。また、従来のコンピュータでの赤外線画像に基づく３次元顔認証では、ログオン用画面やロック解除用画面が表示されたときに、赤外線発光部及び赤外線カメラを利用した３次元顔認証が開始し、３次元顔認証が完了するまでの間、赤外線が発光され続ける。そのため、３次元顔認証が長時間成功せず、赤外線発光部及び赤外線カメラが駆動され続けたような場合に、バッテリの電力が大量に消費され、コンピュータの駆動時間が低下する要因となっていた。また、大きな電力消費に伴う発熱によりコンピュータの温度が上昇する要因となっていた。
【００３３】
この課題を解決するため、本実施の形態では、コンピュータ起動時のログオン用画面やロック解除用画面を表示させたときにおいて、コンピュータ１００またはその周辺の状況に関連する信号を出力する状況信号出力部から出力される信号に基づいて、コンピュータ１００またはその周辺の状況に所定の変化があったか否かを判断し、所定の変化があった場合に、赤外線発光部３３０及び赤外線カメラ３２０を駆動させるように構成している。本実施の形態では、状況信号出力部が、ＲＧＢカメラ３１０（可視光カメラ）であり、所定の変化が、ＲＧＢカメラ３１０で撮像された可視光画像の内容が先に撮像された可視光画像の内容に対して所定程度変化したことである例について、以下詳しく説明する。
【００３４】
図３は、３次元顔認証処理のフローチャートの一例である。制御部２１０は、ログオン用画面やロック解除用画面を表示部２４０に表示させたとき、ＲＧＢカメラ３１０を起動する（Ｓ１１）。このとき、ＲＧＢカメラ３１０は、所定フレームレートで周期的に画像を撮像して出力する。所定フレームレートは、例えば動画撮影と同様の３０ｆｐｓや６０ｆｐｓである。
【００３５】
制御部２１０は、ＲＧＢカメラ３１０から新たなフレームの画像を受信する都度、前フレームの画像に対して変化量の検出処理（画像変化量検出処理）を行う（Ｓ１２）。変化量としては、例えば、今回受信したフレームの画像と前フレームの画像とを比較することで求めた動きベクトルの大きさを用いることができる。
【００３６】
制御部２１０は、検出した変化量が所定量以上か否かを判断する（Ｓ１３）。所定量は、検出したい変化の程度に応じて適宜設定すればよい。
【００３７】
変化量が所定量以上でない場合（Ｓ１３でＮＯ）、制御部２１０は、ステップＳ１２の画像変化量検出処理を再度実行する。
【００３８】
変化量が所定量以上である場合（Ｓ１３でＹＥＳ）、制御部２１０は、赤外線カメラ３２０及び赤外線発光部３３０を起動する（Ｓ１４）。
【００３９】
制御部２１０は、現在時刻を開始時刻として保存する（Ｓ１５）。
【００４０】
制御部２１０は、３次元顔認証処理を実行する（Ｓ１６）。
【００４１】
制御部２１０は、３次元顔認証処理において認証が成功したか否かを判断する（Ｓ１７）。
【００４２】
認証が成功した場合（Ｓ１７でＹＥＳ）、制御部２１０は、コンピュータ１００をログオン状態またはロック解除状態に遷移させる（Ｓ１８）。
【００４３】
認証が成功しない場合（Ｓ１７でＮＯ）、制御部２１０は、開始時刻から所定時間が経過したか否かを判断する（Ｓ１９）。所定時間は、例えば５秒であるが、これに限定されるものではない。
【００４４】
所定時間が経過していない場合（Ｓ１９でＮＯ）、制御部２１０は、ステップＳ１６の３次元顔認証処理を再度実行する。
【００４５】
所定時間が経過した場合（Ｓ１９でＹＥＳ）、制御部２１０は、赤外線カメラ３２０及び赤外線発光部３３０の駆動を停止した（Ｓ２０）後、ステップＳ１２の画像変化量検出処理を再度実行する。
【００４６】
本実施の形態によると、ＲＧＢカメラ３１０で撮像された画像の変化量が所定量以上である場合に、赤外線カメラ３２０及び赤外線発光部３３０を駆動して３次元顔認証処理が行われる。そのため、赤外線カメラ３２０及び赤外線発光部３３０の駆動時間を減少させて、赤外線を用いた３次元顔認証処理の電力消費を低減できる。
【００４７】
（実施の形態２）
実施の形態２について説明する。本実施の形態では、状況信号出力部が、可視光画像を撮像するＲＧＢカメラ３１０（可視光カメラ）であり、制御部２１０は、ＲＧＢカメラ３１０で撮像された可視光画像に対して顔検出処理を行い、所定の変化は、顔検出処理で顔が検出されたことである例について説明する。
【００４８】
図４は、実施の形態２におけるコンピュータ１００の３次元顔認証処理のフローチャートの一例である。本実施の形態では、実施の形態１のステップＳ１２，Ｓ１３に代えて、ステップＳ２２，Ｓ２３が設けられている。以下、実施の形態１との相違点を中心に説明する。
【００４９】
制御部２１０は、ＲＧＢカメラ３１０から新たなフレームの画像を受信する都度、受信した画像に対して顔の検出処理（顔検出処理）を行う（Ｓ２２）。
【００５０】
制御部２１０は、受信したフレームの画像中に顔検出処理で顔が検出されたか否かを判断する（Ｓ２３）。
【００５１】
顔が検出されなかった場合（Ｓ２３でＮＯ）、制御部２１０は、ステップＳ２２の顔検出処理を再度実行する。
【００５２】
顔が検出された場合（Ｓ２３でＹＥＳ）、制御部２１０は、赤外線カメラ３２０及び赤外線発光部３３０を起動する（Ｓ１４）。以後、実施の形態１と同様の処理が行われる。なお、ステップＳ２０で赤外線カメラ３２０の駆動を停止した場合、制御部２１０は、ステップＳ２２の顔検出処理を再度実行する。
【００５３】
本実施の形態によると、ＲＧＢカメラ３１０で撮像された画像中に顔が検出された場合に、赤外線カメラ３２０及び赤外線発光部３３０を駆動して３次元顔認証処理が行われる。そのため、赤外線カメラ３２０及び赤外線発光部３３０の駆動時間をより一層減少させて、赤外線を用いた３次元顔認証処理の電力消費をより一層低減できる。
【００５４】
なお、顔検出処理に代えてＲＧＢカメラ３１０で撮像された画像に基づく２次元顔認証処理を行ってもよい。なお、ここにおける２次元顔認証処理は、本来の利用者に対して拒否が発生するほどの厳密なものである必要はなく、３次元顔認証を行う対象を絞り込む程度のものでよい。
【００５５】
（実施の形態３）
実施の形態３について説明する。本実施の形態では、状況信号出力部が、物体が所定範囲内に接近したことを検出する近接センサ３４０であり、所定の変化が、近接センサ３４０で物体が所定範囲内に接近したことが検出されたことである例について説明する。
【００５６】
図５は、実施の形態３におけるコンピュータ１００の３次元顔認証処理のフローチャートの一例である。本実施の形態では、実施の形態１のステップＳ１１，Ｓ１２，Ｓ１３に代えて、ステップＳ３１，Ｓ３３が設けられている。以下、実施の形態１との相違点を中心に説明する。
【００５７】
制御部２１０は、コンピュータ１００の起動時、あるいは所定の無操作時間の経過により、コンピュータ１００のロック画面を表示させた際、近接センサ３４０を起動する（Ｓ３１）。
【００５８】
制御部２１０は、近接センサ３４０から出力される信号に基づいて、近接センサ３４０に対して所定範囲内に物体が接近したか否かを判断する（Ｓ３３）。これは、コンピュータ１００に対して物体が接近したか否かを判断することでもある。
【００５９】
所定範囲内に物体が接近していない場合（Ｓ３３でＮＯ）、制御部２１０は、本ステップＳ３３の判断を再度実行する。
【００６０】
所定範囲内に物体が接近した場合（Ｓ３３でＹＥＳ）、制御部２１０は、赤外線カメラ３２０及び赤外線発光部３３０を起動する（Ｓ１４）。以後は、実施の形態１と同様の処理が行われる。なお、ステップＳ２０で赤外線カメラ３２０の駆動を停止した場合、制御部２１０は、ステップＳ３３の処理を再度実行する。
【００６１】
本実施の形態によると、近接センサ３４０で物体が所定範囲内に接近したことが検出された場合に、赤外線カメラ３２０及び赤外線発光部３３０を駆動して３次元顔認証処理が行われる。そのため、赤外線カメラ３２０及び赤外線発光部３３０の駆動時間を減少させて、赤外線を用いた３次元顔認証処理の電力消費を低減できる。
【００６２】
（実施の形態４）
実施の形態４について説明する。本実施の形態では、状況信号出力部が、利用者の入力操作を受け付ける入力デバイス２３０であり、所定の変化が、入力デバイス２３０で入力操作があったことである例について説明する。
【００６３】
図６は、実施の形態４におけるコンピュータ１００の３次元顔認証処理のフローチャートの一例である。本実施の形態では、実施の形態１のステップＳ１１，Ｓ１２，Ｓ１３に代えて、ステップＳ４１が設けられている。以下、実施の形態１との相違点を中心に説明する。
【００６４】
制御部２１０は、ログオン用画面やロック解除用画面を表示部２４０に表示させたとき、何れかの入力デバイス２３０に操作があったか否かを判断する（Ｓ４１）。制御部２１０は、何れかの入力デバイス２３０から操作に関する信号を受信した場合、何れかの入力デバイス２３０に対して入力操作があったと判断する。
【００６５】
何れの入力デバイス２３０に対しても入力操作がない場合（Ｓ４１でＮＯ）、制御部２１０は、本ステップＳ４１の判断を再度実行する。
【００６６】
何れかの入力デバイス２３０に対して入力操作があった場合（Ｓ４１でＹＥＳ）、制御部２１０は、赤外線カメラ３２０及び赤外線発光部３３０を起動する（Ｓ１４）。以後は、実施の形態１と同様の処理が行われる。なお、ステップＳ２０で赤外線カメラ３２０の駆動を停止した場合、制御部２１０は、ステップＳ４１の処理を再度実行する。
【００６７】
本実施の形態によると、何れかの入力デバイス２３０に対して操作があった場合に、赤外線カメラ３２０及び赤外線発光部３３０を駆動して３次元顔認証処理が行われる。つまり、コンピュータ１００に対する操作意思が存在する場合に、赤外線カメラ３２０による３次元顔認証処理が行われる。そのため、赤外線カメラ３２０及び赤外線発光部３３０の駆動時間を減少させて、赤外線を用いた３次元顔認証処理の電力消費を低減できる。
【００６８】
（実施の形態５）
実施の形態１〜４では、制御部２１０は、ステップＳ１９で開始時刻から所定時間が経過したか否かを判断する。しかし、ステップＳ１９の上記判断に代えて、コンピュータ１００の所定部位の温度が所定温度を超えたか否かを判断するようにしてもよい。この場合、制御部２１０は、所定部位に配置された温度センサ３５０から温度を示す信号を入力する。所定温度は、例えば、利用者に低温火傷を生じさせない範囲で最も高い温度である。これにより、電力消費とともに低温火傷の発生を抑制できる。所定部位は、例えば、制御部２１０が配置されている部位である。なお、所定部位は、例えば、赤外線発光部３３０、入力デバイス２３０、バッテリ４１０、充電回路４２０等が配置されている部位であってもよい。なお、開始時刻から所定時間が経過したことと、コンピュータ１００の所定部位の温度が所定温度を超えたこととの少なくとも一方が成立したか否かを判断するようにしてもよい。
【００６９】
（効果等）
（１）本実施の形態のコンピュータ１００（個人認証装置の一例）は、
赤外線を発光する赤外線発光部３３０と、
赤外線画像を撮像する赤外線カメラ３２０と、
コンピュータ１００（自装置）またはその周辺の状況に関連する信号を出力する状況信号出力部と、
制御部２１０と、を備える。
制御部２１０は、状況信号出力部から出力される信号に基づいて、コンピュータ１００またはその周辺の状況に所定の変化があったか否かを判断し、所定の変化があった場合に、赤外線発光部３３０及び赤外線カメラ３２０を駆動させるとともに、赤外線カメラ３２０で撮像された赤外線画像に基づいて３次元顔認証処理を行う。
【００７０】
これにより、状況信号出力部から出力される信号に基づいて、コンピュータ１００またはその周辺の状況に所定の変化があったと判断された場合に、赤外線発光部３３０及び赤外線カメラ３２０が駆動され、３次元顔認証処理が行われる。そのため、赤外線カメラ３２０及び赤外線発光部３３０の駆動時間を減少させて、赤外線を用いた３次元顔認証処理の電力消費を低減できる。
【００７１】
（２）本実施の形態において、
制御部２１０は、赤外線発光部３３０及び赤外線カメラ３２０を駆動してから所定時間駆動しても３次元顔認証が成功しない場合、赤外線発光部３３０及び赤外線カメラ３２０の駆動を停止する。
【００７２】
赤外線発光部３３０及び赤外線カメラ３２０を駆動してから所定時間駆動しても３次元顔認証が成功しない場合には、赤外線カメラ３２０の前から利用者がいなくなったことが考えられる。そのため、赤外線発光部３３０及び赤外線カメラ３２０の駆動を停止させることで、無駄な電力消費を抑制するものである。
【００７３】
（３）本実施の形態において、
制御部２１０は、コンピュータ１００の所定部位の温度が所定温度以上となった場合、赤外線発光部３３０及び赤外線カメラ３２０の駆動を停止する。
【００７４】
これにより、電力消費の減少とともに低温火傷の発生を抑制できる。
【００７５】
（４）本実施の形態において、
状況信号出力部は、可視光画像を周期的に撮像するＲＧＢカメラ３１０（可視光カメラ）である。
所定の変化は、ＲＧＢカメラ３１０で撮像された可視光画像の内容が先に撮像された可視光画像の内容に対して所定程度変化したことである。
【００７６】
これにより、ＲＧＢカメラ３１０で撮像された可視光画像の内容が先に撮像された可視光画像の内容に対して所定程度変化した場合に、赤外線カメラ３２０及び赤外線発光部３３０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００７７】
（５）本実施の形態において、
状況信号出力部は、可視光画像を撮像するＲＧＢカメラ３１０（可視光カメラ）である。
制御部２１０は、ＲＧＢカメラ３１０で撮像された可視光画像に対して顔検出処理を行う。
所定の変化は、顔検出処理で顔が検出されたことである。
【００７８】
これにより、ＲＧＢカメラ３１０で撮像された可視光画像中に顔が検出された場合に、赤外線カメラ３２０及び赤外線発光部３３０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００７９】
（６）本実施の形態において、
状況信号出力部は、物体が所定範囲内に接近したことを検出する近接センサ３４０である。
所定の変化は、近接センサ３４０で物体が所定範囲内に接近したことが検出されたことである。
【００８０】
これにより、近接センサ３４０で物体が所定範囲内に接近したことが検出された場合に、赤外線発光部３３０及び赤外線カメラ３２０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００８１】
（７）本実施の形態において、
状況信号出力部は、利用者の入力操作を受け付ける入力デバイス２３０である。
所定の変化は、入力デバイス２３０で入力操作があったことである。
【００８２】
これにより、何れかの入力デバイス２３０に対して操作があった場合に、赤外線発光部３３０及び赤外線カメラ３２０を駆動して３次元顔認証処理が行われる。そのため、赤外線カメラ３２０及び赤外線発光部３３０の駆動時間を減少させて、赤外線発光部３３０及び赤外線カメラ３２０の電力消費を抑制できる。
【００８３】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００８４】
（１）前記実施の形態では、本開示における個人認証装置をノートブック型のコンピュータに適用した場合について説明した。しかし、本開示は、ノートブック型のコンピュータ以外にも、スマートフォン、タブレット型コンピュータ、携帯型ゲーム機器、デジタルアメラ、ＡＴＭ装置等、赤外線カメラによる３次元顔認証を実行する機能を有する装置に広く利用可能である。
【００８５】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００８６】
本開示は、赤外線カメラによる３次元顔認証を行う電子機器において広く利用可能である。
【符号の説明】
【００８７】
１００  コンピュータ
１０１  第１の筐体
１０２  第２の筐体
１０３  ヒンジ
２１０  制御部
２２０  記憶部
２３０  入力デバイス
２３１  キーボード
２３２  タッチパッド
２３３  操作ボタン
２３４  タッチパネル
２４０  表示部
２５０  バス
３１０  ＲＧＢカメラ
３２０  赤外線カメラ
３３０  赤外線発光部
３４０  近接センサ
３５０  温度センサ
【手続補正３】
【補正対象書類名】図面
【補正対象項目名】全図
【補正方法】変更
【補正の内容】
【図１】
2019026925.tif 000009
【図２】
2019026925.tif 000010
【図３】
2019026925.tif 000011
【図４】
2019026925.tif 000012
【図５】
2019026925.tif 000013
【図６】
2019026925.tif 000014
【国際調査報告】
2019026925.tif 000015
2019026925.tif 000016
2019026925.tif 000017